(57)【要約】【課題】構成が簡単で、送風方向の調節が容易に行える脱穀機を提供しようとするものである。【解決手段】揺動選別装置（１４）の下側前部に、後端に開口部を有する筒状に形成した送風胴板（１９）と、該送風胴板（１９）の後端開口部の上下に接続する上通風案内板（２０ａ）及び下通風案内板（２０ｂ）とで選別用送風室（２１）を形成し、該選別用送風室（２１）内には選別風を発生させる唐箕羽根（２２）を回転自在に軸支し、上通風案内板（２０ａ）と下通風案内板（２０ｂ）との間には、選別風を主選別風（イ）と補助選別風（ロ）とに分割する風割（２３）を設け、上通風案内板（２０ａ）の後端部（Ｃ）に風向調節板（２４）の後端部を上下回動自在に取り付ける。【選択図】図１
2011200175.tif 000002
【特許請求の範囲】
【請求項１】
刈取り穀稈を脱穀する脱穀室（９）の下側に、選別処理物を揺動移送しながら粗選別する粗選別部を備え、該粗選別部から漏下した選別処理物を揺動移送しながら穀粒を一番物回収部（２５ｂ）に漏下させると共に二番物を移送方向下手側に配置した二番物回収部（２６ｃ）上に落下させる揺動選別装置（１４）を設け、該揺動選別装置（１４）の下側前部には、後端に開口部を有する筒状に形成した送風胴板（１９）と、該送風胴板（１９）の後端開口部の上下に接続する上通風案内板（２０ａ）及び下通風案内板（２０ｂ）とで選別用送風室（２１）を形成し、該選別用送風室（２１）内には選別風を発生させる唐箕羽根（２２）を回転自在に軸支し、前記上通風案内板（２０ａ）と下通風案内板（２０ｂ）との間には、選別風を主選別風（イ）と補助選別風（ロ）とに分割する風割（２３）を設け、前記上通風案内板（２０ａ）の後端部（Ｃ）に風向調節板（２４）の後端部を上下回動自在に取り付けたことを特徴とする脱穀機。
【請求項２】
前記下通風案内板（２０ｂ）を上下回動自在な構成としたことを特徴とする請求項１記載の脱穀機。
【請求項３】
前記風向調節板（２４）の前端部（ニ）と前記風割（２３）の前端部（ホ）とを連動して上下回動自在な構成としたことを特徴とする請求項２記載の脱穀機。
【発明の詳細な説明】
【技術分野】
【０００１】
この発明は、脱穀機に関するものである。
【背景技術】
【０００２】
下記特許文献１に例示するように、刈取り穀稈の供給を受けて、脱穀する扱室の下側に、選別処理物を揺動移送しながら選別する揺動選別装置を設け、該揺動選別装置は、前部に第１ストローラックを設け、該第１ストローラックの下側には、粗選別部である第１グレンパンと、多数個のチャブシーブを設け、該粗選別部の下側の後部には、固定グレンパンと所定間隔で多数本の篩線を設け、該篩線の下側後方部には、グレンパンと、該グレンパンに接続するグレンシーブを設け、該グレンシーブの前側の上方部には、第２ストローラックを設け、第１ストローラックから送り出される排藁屑等を、機外へ排出させるように構成している。
【０００３】
又、前部チャブシーブから漏下した処理物を受け止め、揺動移送しながら比重差選別する、揺動選別ケースに位置固定状態の固定グレンパン部分と、この固定グレンパンから移送方向下手側に移送方向に沿って、片持ち状に延びる状態で、該固定グレンパンに並列配設した、複数本の篩い線とから、該中間選別部を構成してある。
【０００４】
前記篩い線の配置間隔は、主に穀粒と細かい藁屑だけが、漏下して精選別部での、穀粒選別を能率よく行うために、ピッチを比較して小さく設定している構成である。
【先行技術文献】
【特許文献】
【０００５】
【特許文献１】特開平７−２７４６９６号公報
【発明の概要】
【発明が解決しようとする課題】
【０００６】
構成が簡単で、送風方向の調節が容易に行える脱穀機を提供しようとするものである。
【課題を解決するための手段】
【０００７】
前述のような課題を解決するために、この発明は、次のような技術手段を講じる。
【０００８】
即ち、請求項１記載の発明は、刈取り穀稈を脱穀する扱室（９）の下側に、選別処理物を揺動移送しながら粗選別する粗選別部を備え、該粗選別部から漏下した選別処理物を揺動移送しながら穀粒を一番物回収部（２５ｂ）に漏下させると共に二番物を移送方向下手側に配置した二番物回収部（２６ｃ）上に落下させる揺動選別装置（１４）を設け、該揺動選別装置（１４）の下側前部には、後端に開口部を有する筒状に形成した送風胴板（１９）と、該送風胴板（１９）の後端開口部の上下に接続する上通風案内板（２０ａ）及び下通風案内板（２０ｂ）とで選別用送風室（２１）を形成し、該選別用送風室（２１）内には選別風を発生させる唐箕羽根（２２）を回転自在に軸支し、前記上通風案内板（２０ａ）と下通風案内板（２０ｂ）との間には、選別風を主選別風（イ）と補助選別風（ロ）とに分割する風割（２３）を設け、前記上通風案内板（２０ａ）の後端部（Ｃ）に風向調節板（２４）の後端部を上下回動自在に取り付けたことを特徴とする脱穀機としたものである。
【０００９】
脱穀機（１）の扱室（９）内へ刈取り穀稈の供給を受けると、該扱室（９）内で脱穀され、該扱室（９）の下側へ揺動移送しながら、粗選別を行う粗選別部と、該粗選別部から漏下した選別処理物を揺動移送しながら、穀粒を一番物回収部（２５ｂ）に選別漏下させ、又、二番物を移送方向下手側下方に配置した二番物回収部（２６ｃ）上に落下させる。
【００１０】
請求項２記載の発明は、前記下通風案内板（２０ｂ）を上下回動自在な構成としたことを特徴とする請求項１記載の脱穀機としたものである。
【００１１】
請求項３記載の発明は、前記風向調節板（２４）の前端部（ニ）と前記風割（２３）の前端部（ホ）とを連動して上下回動自在な構成としたことを特徴とする請求項２記載の脱穀機としたものである。
【発明の効果】
【００１２】
請求項１に記載の発明においては、風向調節板（２４）を上下回動調節することにより、風割（２３）の上側の風路から吹き出す選別風の吹き出し角度を調節できる。これにより、揺動選別装置（１４）上の選別処理物量が少ない場合に、選別風の吹き出し角度を急傾斜状態とすれば、選別風を揺動選別装置（１４）の前部下側から吹き上げさせることで、選別処理物中の穀粒が藁屑と共に揺動選別装置（１４）の後部から外部へ排出されて損失となる不具合を少なくすることができる。また、揺動選別装置（１４）上の選別処理物量が多い場合には、選別風の吹き出し方向を緩傾斜状態とすれば、選別風を揺動選別装置（１４）の中間部ないし後部下側から吹き上げさせることで、選別処理物中の藁屑を揺動選別装置（１４）の後部から外部へ円滑に排出でき、揺動選別装置（１４）上での選別処理物の停滞を防いで選別能率を高めることができる。
【００１３】
請求項２に記載の発明においては、上記請求項１に記載の発明の効果を奏するうえに、下通風案内板（２０ｂ）を上下回動調節することにより、風割（２３）の下側の風路から吹き出す選別風の吹き出し角度を調節できる。これにより、風向調節板（２４）の上下回動調節と共に、選別風全体の吹き出し角度を調節でき、選別処理物中の穀粒の損失防止と選別能率の向上とを達成することができる。
【００１４】
請求項３記載の発明によると、上記請求項２記載の発明の効果を奏するうえに、選別風全体の吹き出し角度を連動して調節できることで、選別処理物中の穀粒の損失防止と選別能率の向上とを共に達成することができる。
【図面の簡単な説明】
【００１５】
【図１】脱穀機の正断面図
【図２】脱穀機の風割部の正断面図
【図３】脱穀機の風割部の正断面図
【図４】脱穀機の風割部と風向調節板部との正断面図
【図５】脱穀機の下通風案内板部の正断面図
【図６】脱穀機の下通風案内板部と風割部との正断面図
【図７】脱穀機の吸引装置部の上下調節の正断面図
【図８】吸引装置の吸気口調節板の下調節正断面図
【図９】吸引装置の吸気口調節板の上下調節正断面図
【発明を実施するための形態】
【００１６】
以下、本発明の一実施例を図面に基づいて説明する。
【００１７】
刈取り穀稈の供給を受けて脱穀する脱穀機１は、図１で示すように、前・後側板２、３と、及び左・右側板４、５で略箱形状に形成し、上端部には、扱胴カバー６を設けると共に、上端後部側には、上カバー７を設けた構成である。
【００１８】
前記脱穀機１の上部の穀稈供給口の外側上下には、挟持杆８ａとフィードチェン８ｂとを設け、該脱穀機１の上部に設けた、扱室９内を穀稈を挟持移送して脱穀する構成である。この扱室９内には、多種類で多数本の扱歯１１等を外径部に植設した、扱胴１０を、扱胴軸１０ａで回転自在に、前側板２と排出口板２ａ等との間に軸支して設けた構成である。
【００１９】
前記扱胴１０の該扱歯１１の回転外周の外側部で、該前側板２の内側面（Ａ）から排出口１２を形成する内側部（Ｂ）位置までは、脱穀処理物を漏下させるべく、漏下網１３を張設している。該漏下網１３の終端部（Ｂ）から、該排出口板２ａまでの間は、未漏下物を排出する排出口１２とした構成である。
【００２０】
前記漏下網１３、及び該排出口１２の下側に、該漏下網１３から漏下した脱穀物である穀粒、及び藁屑等と、該排出口１２から排出される穀粒の一部、及び藁屑等とを受けて、揺動移送選別する揺動選別装置１４を設けている。
【００２１】
前記揺動選別装置１４は、図１で示すように、上部より、順に、山形多数個を所定間隔で設けた分離板１５と、該分離板１５の下側で左部より、三角形状が複数個接続した移送板１６と、該移送板１６の下手側には、多数個の各選別板１７が所定間隔に上下回動自在で、移送物の移送量を変更可能に設け、該各選別板１７の下側には、選別用網１８を設け、選別済み穀粒を下部へ漏下させる構成である。
【００２２】
前記揺動選別装置１４の下側左部には、図１で示すように、該揺動選別装置１４より、落下する脱穀済み穀粒と、藁屑等とに風選別する円形状の送風胴板１９と、該送風胴板１９の先端上下部ら接続する上・下通風案内板２０ａ、２０ｂとで、選別送風室２１を形成し、該選別送風室２１内には、起風を発生させる４枚の唐箕羽根２２を装着する、４個の羽根受メタル２２ａを、十文字形状に形成して唐箕軸２２ｂで軸支して設けた構成である。
【００２３】
図１で示すように、前記上・下通風案内板２０ａ、２０ｂ間には、下側の主選別風（イ）と、上側の補助選別風（ロ）とに、分割する略三角形状の風割２３を設けている。又、該上通風案内板２０ａの上端部回動中心として、下端部を、上下方向に回動移動自在な風向調節板２４を風向回動軸２４ａで回動自在に軸支して設け、脱穀する穀稈を前記脱穀機１内へ供給する穀稈の供給量により、その都度変更することができる構成としている。
【００２４】
これにより、前記脱穀機１内へ供給する穀稈の供給量により、風向調節板２４の調節が可能となり、良好な風量調節ができることにより、良好な選別性能を得ることができると共に、脱穀性能の安定を計ることができる。
【００２５】
前記選別送風室２１の下手側には、一番選別物を機外へ移送する、下通風案内板２０ｂに連通する、一番移送螺旋２５ａを軸支内装した一番戸樋２５を設け、該一番戸樋２５の下手側は、前記下通風案内板２０ｂと連接させている。又、該一番戸樋２５の上手側と、二番戸樋２７の下手側とは、選別棚２６を設けて接続させた構成である。該一番戸樋２５の一方側の外側には、選別済み穀粒を機外へ排出する一番排出筒２８を設けている。
【００２６】
前記一番移送螺旋２５ａの上手側には、二番物を再度該扱室９へ還元する二番移送螺旋２６ａを軸支内装した二番戸樋２７を設け、該二番戸樋２７の一方側の外側には、二番還元筒２８ａを設けて、二番物を再度前記扱室９へ還元して、この扱室９で再脱穀する構成である。
【００２７】
前記扱室９の後方部で、前記揺動選別装置１４の先端上部には、前記扱室９から排出される藁屑、及び稈切、又、該揺動選別装置１４の上側部を移送される藁屑、及び稈切等を吸引して機外へ排出する吸引装置２９を設けた構成としている。
【００２８】
図２で示すように、前記選別送風室２１の前方部に設けた風割２３を、前後方向、及び上下方向にモータ３０によって、移動可能構成している。
【００２９】
上記により、風向、及び風量を調節して脱穀精度の条件適応性の向上を図る。
【００３０】
図３で示すように、前記選別送風室２１の前方部に設けた風割２３には、モータ３０を設け、風割２３を上下に移動できる構成である。
【００３１】
上記により、風向が変更できることにより、選別性能の向上を図ることができる。
【００３２】
図４で示す前記風向調節板２４と、風割２３との両者が、同時に回動すべくロット等により、連接した構成である。
【００３３】
これにより、風向、及び風量を調節して脱穀精度の条件適応性の向上を図る。
【００３４】
図４で示すように、下通風案内板２０ｂの下側部の円部分と、直線部分との結合部で分割し、直線部の上端部に折曲部２０ｃを設け、この折曲部２０ｃ部が一番戸樋２５の上端部に重合する構成にして、該直線部分を上下回動自在に設けた構成である。この上下回動は、モータ等によって、掻移動させる構成である。
【００３５】
これにより、風向、及び風量を調節して、脱穀精度の条件適応性を向上させることができる。
【００３６】
図５で示すように、前記下通風案内板２０ｂと、前記風割２３とは、ロット等により連接され、連動して同時に、回動移動する構成である。又、シーブの開度と連動して可動する構成である。
【００３７】
これにより、風向、及び風量を調節して、脱穀精度の条件適応性を向上させることができる。
【００３８】
図６で示す構成において、二番還元量を検出する二番還元量検知センサ２６ｂを設け、還元量に連動して可動する構成である。
【００３９】
これにより、二番の流量に応じて自動的に調節ができて便利である。
【００４０】
前記脱穀機１で脱穀された穀粒を受けるグレンタンクの底部には、重量センサを設け、穀粒の溜まる速度と連動して、前記下通風案内版２０ｂと、前記風割２３とは、ロット等により連接され、連動して同時に、回動移動する構成である。
【００４１】
前記脱穀機１の扱室９内に設けている排塵調節板に連動して、風向、風量を調節する構成である。又、該脱穀機１を駆動するエンジンの回転数に連動して可動する構成である。
【００４２】
これにより、風向、及び風量を調節して、脱穀精度の条件適応性を向上させる。又、収量に応じて自動的に調節できる。
【００４３】
前記脱穀機１の脱穀選別の構成において、前記唐箕羽根２２の回転数（風量）に連動して可動する構成である。
【００４４】
これにより、上記と同じように風割、及び風量を調節して、脱穀精度の条件適応性を向上させる。又、該唐箕羽根２２の回転数と連動させることで自動的に調節できる。
【００４５】
図７で示すように、脱穀機１の前記扱室９内の前記扱胴１０の後方部で、又、揺動選別装置１４の後端部の上方には、吸引装置２９を設けた構成においては、該吸引装置２９全体をモータ等により、上下移動可能に設けた構成である。
【００４６】
これにより、前記吸引装置２９を上下移動させることにより、二番還元量の減少、及び三番口ロスの低減を図る。
【００４７】
例えば、本発明の脱穀機１をコンバイン等に乗載した時には、圃場でコーナー等で旋回時には、風割２３が回動して、直立状態になる構成である。
【００４８】
これにより、コンバイン等に本発明の脱穀機１を乗載した時であっても、後方への風量を落として、コーナーロスの減少を図る。
【００４９】
前記吸引装置２９のケーシング２９ａの吸気口２９ｂ部には、図８で示すように、開閉板２９ｃを設け、開閉式とし、コーナー部では閉状態に操作出来る構成であり、この操作は手動、又は自動操作とする。
【００５０】
これにより、三番飛散粒、及び二番還元量の大巾減少を図ることができる。
【００５１】
前記吸引装置２９のケーシング２９ａの吸気口２９ｂを、図９で示すように、上方部上下方向の開閉式とし、下方部をスライド式の開閉式とした構成である。この開閉をモータ等により、自動開閉とした構成である。又、コーナーでの旋回時は閉じる。更に、シーブの開度に連動して可動する構成である。
【００５２】
これにより、前記吸気口２９ｂ部の面積を変更可能としたことにより、二番還元量、及び三番ロスの低減を図ることができる。
【００５３】
上記の発明の開閉は、唐箕回転数（風量）に連動して可動する構成である。
【００５４】
これにより、前記吸引装置２９を調整して、二番還元量を減少し、三番ロスの低減を図る構成である。
【００５５】
前記二番還元筒２８に、図１で示すように、二番還元量検出センサ２８ｂを設け、二番還元量を検出させ、還元量に連動して可動する構成である。
【００５６】
前述の構成において、排塵量を調節する排塵量調節板３１において、該排塵量調節板３１と連動して可動する構成である。
【００５７】
これにより、前記吸引装置２９のケーシング２９ａの回転数を調節して二番還元量の減少、及び三番口のロスの低減を図ることができる。
【符号の説明】
【００５８】
１    脱穀機
９    扱室
１４    揺動選別装置
１９    送風胴板
２０ａ  上通風案内板
２０ｂ  下通風案内板
２１    選別送風室
２２    唐箕羽根
２３    風割
２４    風向調節板
２５ｂ  一番物回収部
２６ｃ  二番口回収部
Ｃ    後端部
イ    主選別風
ロ    補助選別風
ハ    先端部（下通風案内板）
ニ    下端部（風向調節板）
ホ    下端部（風割）
【図１】
2011200175.tif 000003
【図２】
2011200175.tif 000004
【図３】
2011200175.tif 000005
【図４】
2011200175.tif 000006
【図５】
2011200175.tif 000007
【図６】
2011200175.tif 000008
【図７】
2011200175.tif 000009
【図８】
2011200175.tif 000010
【図９】
2011200175.tif 000011